(57)【特許請求の範囲】
【請求項１】
露光用光源から射出された照明光で、転写用のパターンの形成されたマスクを照明し、前記照明光のもとで前記マスクのパターンを感光性の基板上に、前記マスクと前記基板とを同期走査しながら転写露光する走査型の露光装置で、前記基板に対する前記照明光の露光量を制御する露光量制御方法において、
前記露光用光源と前記マスクとの間に前記照明光の照度を複数段階で減衰させる減衰率可変の光学フィルタを配置し、
前記基板上の複数のショット領域に対する目標露光量を変更しながら１枚の前記基板上を露光する際において、前記目標露光量の変更に伴って、前記光学フィルタの減衰率の変更の要否を判断し、
前記判断により前記変更が必要であれば、前記光学フィルタの減衰率をオープンループ制御で切り換えて前記基板上での前記照明光の照度を制御し、
前記光学フィルタでの減衰率を切り換えたときには常に、前記マスクのパターンの転写面上での前記照明光の照度を計測し、該計測結果に基づいて前記基板に対する前記照明光の露光量を制御することを特徴とする露光量制御方法。
【請求項２】
前記照明光の照度の変調レンジとして前記光学フィルタの変調レンジよりも小さい変調レンジを備え、且つオープンループ制御で駆動される微調ユニットを、前記露光用光源と前記マスクとの間に配置し、
前記照明光の照度の計測後に前記微調ユニットにより前記照明光の照度を変更した時には、前記マスクのパターンの転写面上での前記照明光の照度を再計測し、
前記再計測結果に基づいて前記基板に対する前記照明光の露光量を制御することを特徴とする請求項１に記載の露光量制御方法。
【請求項３】
前記照明光の照度の変調レンジとして前記光学フィルタの変調レンジよりも小さい変調レンジを備え、且つオープンループ制御で駆動される微調ユニットを、前記露光用光源と前記マスクとの間に配置し、
前記照明光の照度の計測後に前記微調ユニットにより前記照明光の照度を変更した時には、前記マスクのパターンの転写面上での前記照明光の照度の再計測をせずに、前記光学フィルタ及び前記微調ユニットで露光量設定された照明光を用いて前記マスクのパターンを前記基板上に転写露光することを特徴とする請求項１に記載の露光量制御方法。
【請求項４】
半導体素子、液晶表示素子、撮像素子、又は薄膜磁気ヘッドを製造するための素子製造方法であって、
請求項１〜３の何れか一項に記載の露光量制御方法を用いて露光量を制御しながら、マスク上に形成されたパターンを基板上に転写露光する工程を含むことを特徴とする素子製造方法。
【請求項５】
露光用光源から射出された照明光で、転写用のパターンの形成されたマスクを照明し、前記照明光のもとで前記マスクのパターンを感光性の基板上に、前記マスクと前記基板とを同期走査しながら転写露光する走査型の露光装置であって、
前記露光用光源と前記マスクとの間に配置され、前記照明光の照度を複数段階で減衰させるために減衰率可変であり、その減衰率をオープンループ制御で切り換えることにより前記基板上での前記照明光の照度を制御する光学フィルタと、
前記基板上の複数のショット領域に対する目標露光量を変更しながら１枚の前記基板上を露光する際において、前記目標露光量の変更に伴って、前記光学フィルタの減衰率の変更の要否を判断し、該判断により前記変更が必要であると判断されると、前記光学フィルタの減衰率を前記オープンループ制御で切り換えて前記基板上での前記照明光の照度を制御する制御手段と、
前記光学フィルタの減衰率を切り換えたときには常に、前記マスクのパターンの転写面上での前記照明光の照度を計測するセンサと、
前記センサによる計測結果に基づいて、前記基板に対する前記照明光の露光量を制御するコントローラと、を有することを特徴とする露光装置。
【発明の詳細な説明】
【０００１】
【発明の属する技術分野】
本発明は、例えば半導体素子、液晶表示素子、撮像素子（ＣＣＤ等）又は薄膜磁気ヘッド等を製造するためのリソグラフィ工程中で使用される露光装置で、感光性の基板に対する露光量を制御するための露光量制御方法に関し、一括露光型の露光装置にも適用できるが、特にマスク上のパターンの一部を感光性の基板上に投射した状態でそのマスク及び基板を投影光学系に対して同期して走査することにより、そのマスクのパターンを逐次その基板上の各ショット領域に転写露光する、ステップ・アンド・スキャン方式等の走査露光型の投影露光装置で露光量制御を行う場合に使用して好適なものである。
【０００２】
【従来の技術】
従来より半導体素子等を製造する際に、マスクとしてのレチクルのパターンを投影光学系を介してフォトレジストが塗布されたウエハ（又はガラスプレート等）上の各ショット領域に転写露光する投影露光装置が使用されている。斯かる投影露光装置における１つの基本的な機能として、ウエハの各ショット領域内の各点に対する積算露光量（積算露光エネルギー）を適正範囲内に維持するための露光量制御機能がある。
【０００３】
従来のステッパーのような一括露光型の投影露光装置での露光量制御としては、露光光源として超高圧水銀ランプのような連続光源、又はエキシマレーザ光源のようなパルスレーザ光源の何れを使用する場合でも、基本的にはカットオフ制御が行われていた。このカットオフ制御では、感光材料が塗布されたウエハへの露光光の照射中にその露光光の一部を分岐して光電検出器よりなるインテグレータセンサに導き、このインテグレータセンサを介して間接的にウエハ上での露光量を検出し、この検出結果の積算値が当該感光材料で必要とされる積算露光量（以下、「設定露光量」と呼ぶ）に対応する所定のレベル（クリティカルレベル）を超えるまで発光を続ける（連続光の場合にはクリティカルレベルを超えたらシャッタを閉め始める）というような制御が行われる。
【０００４】
また、露光光源としてパルスレーザ光源を用いる場合においては、パルスレーザ光毎にエネルギーのばらつきを有するため、或る一定数（以下、「最小露光パルス数」と呼ぶ）以上の複数のパルスレーザ光で露光することにより、所望の露光量制御精度再現性を得ている。この場合、例えば高感度レジストを露光する際には、設定露光量が小さいため、パルスレーザ光源からのレーザ光をそのまま使用したのでは、最小露光パルス数以上での露光ができなくなる。そこで、このように設定露光量が小さいときには、パルスレーザ光源自体の出力を下げるか、又は光路に設置されたエネルギー変調器等の減光手段によりパルスレーザ光を減光することにより、最小露光パルス数以上のパルス数で露光できるようにしていた。
【０００５】
更に近年では、投影光学系に対する負担をあまり重くすることなく、より大面積のパターンを高精度にウエハ上に転写できるようにするために、レチクルのパターンの一部を投影光学系を介してウエハ上に投影した状態で、レチクル及びウエハを投影光学系に対して同期して走査することによりレチクルのパターンをウエハ上の各ショット領域に逐次転写露光する、ステップ・アンド・スキャン方式等の走査露光型の露光装置（走査型露光装置）も開発されている。このような走査露光型では、ウエハ上の１点だけに着目した露光量制御が適用できないために、上述のカットオフ制御が適用できない。そこで、従来は第１の制御方式として、単純に各パルス照明光の光量を積算して露光量制御を行う方式（オープン露光量制御方式）が使用されていた。また、第２の制御方式として、ウエハ上で走査方向に対してスリット状の照野フィールド（露光領域）に含まれる領域に対する積算露光量をパルス照明光毎にリアルタイムで計測し、その積算露光量に基づいて次のパルス照明光の目標エネルギーを個別に算出して、各パルス照明光のエネルギーを制御する方式（パルス毎露光量制御方式）も使用されていた。
【０００６】
それら第１及び第２の制御方式の内、前者は完全なオープンループ制御であり、後者も制御方式として完全には閉じていない。ここでいう「オープンループ制御」とは、露光前にエネルギー調整を済ませておき、露光中は照明光学系内のエネルギー変調器、及び露光光源であるレーザ光源においてパルスレーザ光のエネルギーの変調を行わない制御を指す。但し、レーザ光源側では出力安定化のために放電用の高電圧を微調してエネルギー変調をしているが、露光量センサとしてのインテグレータセンサからの信号はそのエネルギー変調にはフィードバックされていない。従って、その第１の制御方式は、露光量制御としてはオープンループ制御と言える。
【０００７】
このようなオープンループ制御では、露光前のエネルギー計測によって計測されたパルスレーザ光の平均エネルギーに基づいて、積算露光量を目標値にするような制御（露光量目標値制御）が行われる。その露光前のエネルギー変調を行う際には、予め最新の像面上の照度をインテグレータセンサにて間接的に測定し、設定露光量と測定値との差に応じて照明光学系内のエネルギー変調器の減光率、或いはレーザ光源の出力を算出して制御する。このような走査露光型の投影露光装置での露光量目標値制御では、エネルギー変調器の制御精度はもとより、ステージ座標系でのスリット状の照野フィールドの位置、及びその大きさの認識誤差も最終的に得られる露光量に影響するが、この影響はその照野フィールドの位置及び大きさを正確に計測しておくことにより十分小さく抑えることができる。
【０００８】
また、走査露光型で水銀ランプのような連続光源を露光光源とする場合でも、高感度レジストを使用する際には一括露光型の場合とは異なり、積極的に照明光の減光を行う必要のあることがある。
【０００９】
【発明が解決しようとする課題】
従来の投影露光装置内のエネルギー変調器は通常、大きな変調レンジを持つ粗調ユニット（エネルギー粗調器）と、露光パルス数を整数化するための小さな変調レンジを持つ微調ユニット（エネルギー微調器）とから構成されていた。
図６（ａ）は、従来の粗調ユニットの一例を示し、この図６（ａ）において、軸３１ａを中心として回転自在なレボルバ３１上に等角度間隔で、例えば６個の互いに透過率の異なるＮＤフィルタ３２Ａ〜３２Ｆが固定されている。ＮＤフィルタ３２Ａ〜３２Ｆの透過率は予め計測してあり、レボルバ３１を回転することにより所望の透過率のＮＤフィルタをパルスレーザ光ＬＢの光路上に設定できるようになっている。
【００１０】
しかしながら、一般にこのようなＮＤフィルタを用いて、予め計測してある透過率に基づいて露光量をオープンループ制御すると、長期的、及び短期的に透過率が変動するという不都合があった。そのＮＤフィルタでの透過率の変動要因として、エキシマレーザ光源を露光光源としている場合には、強いレーザ光の照射によるＮＤフィルタの局所的損傷、及びレボルバの回転角の位置決め誤差に基づくＮＤフィルタとレーザ光との相対的な位置ずれ等が考えられる。
【００１１】
即ち、図６（ａ）に示すように、例えばＮＤフィルタ３２Ａをパルスレーザ光ＬＢの光路上に設定する場合、レボルバ３１の位置決め誤差によって、ＮＤフィルタ３２Ａの位置が透過率の計測時の位置Ｐ１からずれると、図６（ｂ）の拡大図で示すように、ＮＤフィルタ３２Ａに対するパルスレーザ光ＬＢの位置は相対的に透過率計測時の位置Ｐ２から横方向にずれていることになる。その横方向の位置をｘとすると、ＮＤフィルタ３２Ａの位置ｘでの透過率Ｃ［％］の分布は、図６（ｃ）の曲線３３で示すように変動している。そのため、パルスレーザ光ＬＢが位置Ｐ２にあるときの平均透過率をＣＥ（計測時の透過率）とすると、実際の平均透過率はＣＭ（＝ＣＥ＋δＣ）となり、ＮＤフィルタ３２Ａの透過率は計測時と比べてδＣだけ変化して、それに応じたエネルギー変調誤差が生じる。加えてエキシマレーザ光源の出力エネルギーの短期的な変動も、透過率の変化と等価である。
【００１２】
一方、水銀ランプを露光光源とした場合は、主に熱的効果によってそのＮＤフィルタの透過率の安定性は長期に所望の露光量目標値精度を得るには不充分である。但し、実際のリソグラフィ工程でウエハ上の複数のショット領域に順次同一の露光量で露光を行う場合には、直前のショット領域への露光量を例えばインテグレータセンサでモニタし、このモニタ結果に基づいてショット間で露光量の補正を行うことができる。
【００１３】
これに対して、ウエハ上のフォトレジストに与える適切な露光量を決定するためにテストプリント（試し焼き）を行うことがある。このテストプリントでは、ウエハ上の未露光の多数のショット領域に対して順次所定量ずつ露光量を変えることにより、全体として広いレンジの露光量で露光が行われる。また、その露光量の変更はショット間で行われるが、その露光量の基準は第１ショット領域への露光前に行われるエネルギーチェックでの照明光の照度の実測値である。そして、第２ショット領域以降では、完全なオープン制御でエネルギー変調器での減光率を変化させながら露光が行われるため、第２ショット領域以降への露光量をそれぞれの目標露光量に正確に設定するのが困難であるという不都合があった。
【００１４】
次に、パルスレーザ光源を露光光源とする場合、例えば露光コントローラから所定のタイミングでパルスレーザ光源に対して発光トリガ信号が供給される。しかしながら、実際にはその発光トリガ信号が供給されてからそのパルスレーザ光源が発光するまでには所定の遅延時間（以下、「発光遅延時間」と呼ぶ）Ｔｄが存在するため、ウエハの走査速度をＶとすると、ステージ座標系において、Ｔｄ・Ｖだけ露光開始位置のずれが生ずる。これによって、１つのショット領域への走査露光の最初部分と終了部分とでオフセット的な露光量の誤差が生ずるという不都合があった。
【００１５】
図７は、発光遅延時間Ｔｄにより露光量の誤差が生ずることの説明図であり、先ず図７（ａ）の折れ線３８は露光開始直後の最初のパルスレーザ光によるウエハ上の照野フィールド内の走査方向（これを＋Ｙ方向とする）での光強度Ｉ（Ｙ）の分布を示す。この場合、例えば照明光学系内の視野絞りの位置をウエハの表面との共役面から僅かにデフォーカスさせておくことにより、照野フィールドの光強度分布は傾斜部３８ａで示すように台形状となっている。図７（ａ）において、位置Ｙ１  を制御系で認識している露光開始点とすると、発光遅延時間Ｔｄによって実際の露光開始点Ｙ２  は位置Ｙ１  に対してΔＹ（＝Ｔｄ・Ｖ）だけずれている。その結果、その照野フィールドの全幅を露光開始点Ｙ２  が横切ったときのその露光開始点Ｙ２  での積算露光量は、本来の積算露光量に比べて斜線を施した部分３８ｂの面積に対応する露光量だけ少なくなっている。同様に、露光終了点又はショット領域の終端での積算露光量も少なくなる。
【００１６】
図７（ｂ）の折れ線３９は、走査露光終了後の１つのショット領域上の走査方向（Ｙ方向）での積算露光量Σ（Ｙ）の分布を示し、設定露光量を１としてある。図７（ｂ）より、発光遅延時間Ｔｄによって露光開始位置から幅Ｔｄ・Ｖの範囲、及び露光終了位置までの幅Ｔｄ・Ｖの範囲３９ａで積算露光量の誤差が発生していることが分かる。その発生しうる誤差の最大値をδ、ウエハ上の各点での露光パルス数をＮ、図７（ａ）の斜線部３８ｂの高さをｈ、台形状の折れ線３８の高さをＨとして、照野フィールドの走査方向の幅を折れ線３８中で高さがＨ／２となる位置の幅とすると、誤差の最大値δは次のようになる。
【００１７】
δ＝ｈ／（Ｎ・Ｈ）      （１）
走査露光型でスループット（単位時間当たりのウエハの処理枚数）を高めるためには、ウエハの走査速度Ｖを大きくする必要がある。しかしながら、走査速度Ｖが大きくなると、（１）式中の高さｈが大きくなり、且つ露光パルス数Ｎが小さくなる傾向となるため、誤差の最大値δも次第に無視できない大きさとなることが分かる。また、走査速度Ｖが大きくなると、積算露光量が誤差を有する幅Ｔｄ・Ｖの範囲が広くなるという不都合もある。
【００１８】
本発明は斯かる点に鑑み、露光光源からの照明光の照度をオープンループ制御で複数段階で切り換えることにより、１枚の被露光基板上の複数のショット領域に対して積算露光量を種々に変えて露光を行う場合に、各ショット領域への露光量をそれぞれ正確に制御できる露光量制御方法を提供することを第１の目的とする。
【００１９】
また、本発明は、パルス光源からのパルス照明光を用いて走査露光型で露光を行う場合に、そのパルス光源が所定の発光遅延時間を有する場合でも被露光基板上で積算露光量のむらが生じないような露光量制御方法を提供することを第２の目的とする。
【００２０】
【課題を解決するための手段】
本発明による露光量制御方法は、露光用光源（１）から射出された照明光で、転写用のパターンの形成されたマスク（１１）を照明し、その照明光のもとでマスク（１１）のパターンを感光性の基板（１４）上に、そのマスクとその基板とを同期走査しながら転写露光する走査型の露光装置で、その基板に対するその照明光の露光量を制御する露光量制御方法において、露光用光源（１）とマスク（１１）との間にその照明光の照度を複数段階で減衰させる減衰率可変の光学フィルタ（３）を配置し、その基板上の複数のショット領域に対する目標露光量を変更しながら１枚のその基板上を露光する際において、その目標露光量の変更に伴って、その光学フィルタの減衰率の変更の要否を判断し、その判断によりその変更が必要であれば、その光学フィルタの減衰率をオープンループ制御で切り換えてその基板上でのその照明光の照度を制御し、その光学フィルタでの減衰率を切り換えたときには常に、マスク（１１）のパターンの転写面上でのその照明光の照度を（例えばインテグレータセンサ２５で間接的に）計測し、この計測結果に基づいて基板（１４）に対するその照明光の露光量を制御するものである。
【００２１】
斯かる本発明によれば、例えば基板（１４）の複数のショット領域に対してそれぞれ積算露光量を変えてテストプリントを行うような場合で、オープンループ制御で光学フィルタ（３）での減衰率を切り換えたときには、マスク（１１）のパターンの転写面上で実際にその照明光の照度を計測し、この計測結果に基づいて、例えば別の減衰率を微調できる装置で照度を調整することにより、各ショット領域への露光量を正確に制御できる。
【００２２】
また、本願の発明の実施形態に記載された第１の露光量制御方法は、パルス光源（１）から射出される露光用のパルス照明光のもとで、マスク（１１）上のパターンの一部を感光性の基板（１４）上に投射した状態で、マスク（１１）及び基板（１４）を同期して走査することにより基板（１４）上にそのマスクのパターンを逐次転写露光する走査型露光装置で、基板（１４）に対するそのパルス照明光の露光量を制御する露光量制御方法において、パルス光源（１）に対して発光トリガ信号が供給されてからパルス光源（１）が発光するまでの発光遅延時間に応じて、そのパルス照明光による基板（１４）上の露光領域（１２Ｗ）と基板（１４）との走査方向の相対位置、又は固定照野絞り（９）の走査方向の位置にオフセットを加えるものである。
【００２３】
斯かる露光量制御方法によれば、パルス光源（１）の発光遅延時間をＴｄ、基板（１４）の走査速度をＶとすると、例えばそのパルス照明光の露光領域（１２Ｗ）と基板（１４）との相対位置にＴｄ・Ｖだけのオフセットを加えることにより、その発光遅延時間が存在しても基板（１４）上での積算露光量のむらがなくなる。
【００２４】
また、本願の発明の実施形態に記載された第２の露光量制御方法は、その第２の露光量制御方法と同じ前提部において、パルス光源（１）に対して発光トリガ信号が供給されてからパルス光源（１）が発光するまでの発光遅延時間に応じて、パルス光源（１）に対して供給されるその発光トリガ信号のタイミングにオフセットを加えるものである。これによって、パルス光源（１）を本来発光すべきタイミングで発光させることができ、積算露光量のむらがなくなる。
また、本発明の露光装置では、露光用光源（１）から射出された照明光で、転写用のパターンの形成されたマスク（１１）を照明し、前記照明光のもとで前記マスクのパターンを感光性の基板（１４）上に、前記マスクと前記基板とを同期走査しながら転写露光する走査型の露光装置に、前記露光用光源と前記マスクとの間に配置され、前記照明光の照度を複数段階で減衰させるために減衰率可変であり、その減衰率をオープンループ制御で切り換えることにより前記基板上での前記照明光の照度を制御する光学フィルタ（３）と、前記基板上の複数のショット領域に対する目標露光量を変更しながら１枚の前記基板上を露光する際において、前記目標露光量の変更に伴って（ステップ１１７）、前記光学フィルタの減衰率の変更の要否を判断し（ステップ１１９）、該判断により前記変更が必要であると判断されると、前記光学フィルタの減衰率を前記オープンループ制御で切り換えて前記基板上での前記照明光の照度を制御する制御手段（２６）と、前記光学フィルタの減衰率を切り換えたときには常に、前記マスクのパターンの転写面上での前記照明光の照度を計測するセンサ（２５）と、前記センサによる計測結果に基づいて、前記基板に対する前記照明光の露光量を制御するコントローラ（２６）と、を設けるように構成した。
また、本願の発明の実施形態に記載された第１の露光装置では、パルス光源（１）から射出される露光用のパルス照明光のもとで、マスク（１１）上のパターンの一部を感光性の基板（１４）上に投射した状態で、前記マスク及び前記基板を同期して走査することにより前記基板上に前記マスクのパターンを逐次転写露光する走査型の露光装置に、前記パルス光源に対して発光トリガ信号が供給されてから前記パルス光源が発光するまでの発光遅延時間を記憶するメモリ（２６）と、前記発光遅延時間に応じて、前記パルス照明光による前記基板上の露光領域と前記基板との走査方向の相対位置、又は固定照野絞りの走査方向の位置にオフセットを加えるコントローラ（２６）と、を設けるように構成した。
また、本願の発明の実施形態に記載された第２の露光装置では、パルス光源（１）から射出される露光用のパルス照明光のもとで、マスク（１１）上のパターンの一部を感光性の基板（１４）上に投射した状態で、前記マスク及び前記基板を同期して走査することにより前記基板上に前記マスクのパターンを逐次転写露光する走査型の露光装置に、前記パルス光源に対して発光トリガ信号が供給されてから前記パルス光源が発光するまでの発光遅延時間を記憶するメモリ（２６）と、前記発光遅延時間に応じて、前記パルス光源に対して供給される前記発光トリガ信号のタイミングにオフセットを加えるコントローラ（２６）と、を設けるように構成した。
【００２５】
【発明の実施の形態】
以下、本発明による露光量制御方法の実施の形態の一例につき図面を参照して説明する。本例は、露光光源にパルスレーザ光源としてのエキシマレーザ光源を使用するステップ・アンド・スキャン方式の投影露光装置において、露光量制御を行う場合に本発明を適用したものである。
【００２６】
図３は本例の投影露光装置を示し、この図３において、エキシマレーザ光源１からパルス発光されたレーザビームＬＢは、シリンダーレンズやビームエキスパンダ等で構成されるビーム整形光学系２により、後続のフライアイレンズ５に効率よく入射するようにビームの断面形状が整形される。エキシマレーザ光源１としては、ＫｒＦエキシマレーザ光源（発振波長２４８ｎｍ）、又はＡｒＦエキシマレーザ光源（発振波長１９３ｎｍ）等が使用される。なお、露光光源として、金属蒸気レーザ光源やＹＡＧレーザの高調波発生装置等のパルス光源を使用しても良い。
【００２７】
ビーム整形光学系２から射出されたレーザビームＬＢは順次、エネルギー粗調器３、光路折り曲げ用のミラーＭ、及びエネルギー微調器４に入射する。エネルギー粗調器３は、図６（ａ）に示すように、レボルバ３１上に減光率（＝１−透過率）の異なる複数個のＮＤフィルタ３２Ａ〜３２Ｆを配置し、そのレボルバ３１をオープンループ制御で回転することにより、入射するレーザビームＬＢに対する減光率を複数段階で粗く切り換えることができるようになっている。なお、レボルバ３１と同様のレボルバを２段配置し、２組のＮＤフィルタの組み合わせによってより細かく減光率を調整できるようにしてもよい。
【００２８】
一方、エネルギー微調器４は、例えば２枚の相対位置可変の繰り返しパターンプレートより構成され（ダブル・グレーティング方式）、それら２枚の繰り返しパターンプレートの相対位置を僅かにずらすことにより、入射光に対する減光率を所定範囲内で連続的に変えることができるようになっている。エネルギー微調器４は、例えば制御量と減光率の変化量とを対応させた制御テーブルに基づいてオープンループ制御で駆動されるが、減光率の可変範囲が狭いため、オープンループ制御でも正確に減光率を所望の値に設定できる。
【００２９】
なお、エネルギー微調器４を例えば低反射コーティングされ光軸に対して傾斜したガラス板、及びこのガラス板の傾斜角を微調整する回転機構より構成し、そのコーティング膜の入射角に対する透過率特性を利用して減光率を微調整するようにしてもよい。また、エキシマレーザ光源１の高圧電源での印加電圧を僅かに変えて、レーザビームＬＢの光強度を変えることによって、実質的にレーザビームＬＢに対する減光率を微調整するようにしてもよい。この方式の場合には、エネルギー微調器４を省くことができる。エネルギー粗調器３、及びエネルギー微調器４を組み合わせて使用することによって、広いレンジで連続的にレーザビームＬＢに対する減光率（減衰率）を制御できる。
【００３０】
エネルギー微調器４から射出されたレーザビームＬＢはフライアイレンズ５に入射する。フライアイレンズ５は、後続のレチクル１１を均一な照度分布で照明するために多数の２次光源を形成する。フライアイレンズ５の射出面には照明系の開口絞り６が配置され、その開口絞り６内の２次光源から射出されるレーザビーム（以下、「パルス照明光ＩＬ」と呼ぶ）は、反射率が小さく透過率の大きなビームスプリッタ７に入射し、ビームスプリッタ７を通過したパルス照明光ＩＬは、第１リレーレンズ８Ａを経て固定照野絞り（固定レチクルブラインド）９の矩形の開口部を通過する。本例の固定照野絞り９は、レチクルのパターン面に対する共役面から僅かにデフォーカスした位置に配置されている。また、不図示であるが、レチクルのパターン面の共役面上に走査方向の位置及び幅が可変の可動照野絞りも配置され、走査露光の開始時及び終了時にその可動照野絞りを介して照野フィールドを更に制限することによって、不要な部分への露光が防止されるようになっている。
【００３１】
固定照野絞り９を通過したパルス照明光ＩＬは、第２リレーレンズ８Ｂ、及びメインコンデンサーレンズ１０を経て、レチクルステージ１５上に保持されたレチクル１１上の矩形の照明領域１２Ｒを均一な照度分布で照明する。レチクル１１上の照明領域１２Ｒ内のパターンを投影光学系１３を介して投影倍率β（βは例えば１／４，１／５等）で縮小した像が、フォトレジストが塗布されたウエハ１４上の照野フィールド１２Ｗに投影露光される。以下、投影光学系１３の光軸ＡＸに平行にＺ軸をとり、その光軸に垂直な平面内で照明領域１２Ｒに対するレチクル１１の走査方向（即ち、図３の紙面に平行な方向）をＹ方向、その走査方向に垂直な非走査方向をＸ方向として説明する。
【００３２】
このとき、レチクルステージ１５はレチクルステージ駆動部１８によりＹ方向に走査される。レチクルステージ１５上に固定された移動鏡、及び外部のレーザ干渉計１６により計測されるレチクルステージ１５のＹ座標がステージコントローラ１７に供給され、ステージコントローラ１７は供給された座標に基づいてレチクルステージ駆動部１８を介して、レチクルステージ１５の位置及び速度を制御する。
【００３３】
一方、ウエハ１４は、不図示のウエハホルダを介してＺチルトステージ１９上に載置され、Ｚチルトステージ１９はＸＹステージ２０上に載置されている。ＸＹステージ２０は、Ｘ方向、Ｙ方向にウエハ１４の位置決めを行うと共に、Ｙ方向にウエハＷを走査する。また、Ｚチルトステージ１９は、ウエハ１４のＺ方向の位置（フォーカス位置）を調整すると共に、ＸＹ平面に対するウエハ１４の傾斜角を調整する機能を有する。Ｚチルトステージ１９上に固定された移動鏡、及び外部のレーザ干渉計２２により計測されるＸＹステージ２０のＸ座標、及びＹ座標がステージコントローラ１７に供給され、ステージコントローラ１７は供給された座標に基づいてウエハステージ駆動部２３を介してＸＹステージ２０の位置、及び速度を制御する。
【００３４】
また、ステージコントローラ１７の動作は、不図示の装置全体を統轄制御する主制御系によって制御されている。そして、走査露光時には、レチクル１１がレチクルステージ１５を介して＋Ｙ方向（又は−Ｙ方向）に速度ＶＲ  で走査されるのに同期して、ＸＹステージ２０を介してウエハ１４は照野フィールド１２Ｗに対して−Ｙ方向（又は＋Ｙ方向）に速度β・ＶＲ  （βはレチクル１１からウエハ１４に対する投影倍率）で走査される。
【００３５】
更に、ウエハ１４のフォーカス位置を検出するフォーカス位置検出系（不図示）が配置され、このフォーカス位置検出系の計測値が所定の値に維持されるように、ステージコントローラ１７は、オートフォーカス方式でＺチルトステージ１９の動作を制御する。この場合、そのフォーカス位置検出系の計測値にオフセットを加えることによって、所定範囲内でウエハ１４のフォーカス位置を所望の位置に変化させることができるようになっている。
【００３６】
また、Ｚチルトステージ１９上のウエハ１４の近傍に光電変換素子からなる照度むらセンサ２１が常設され、照度むらセンサ２１の受光面はウエハ１４の表面と同じ高さに設定されている。照度むらセンサ２１としては、遠紫外で感度があり、且つパルス照明光を検出するために高い応答周波数を有するＰＩＮ型のフォトダイオード等が使用できる。照度むらセンサ２１の検出信号が不図示のピークホールド回路、及びアナログ／デジタル（Ａ／Ｄ）変換器を介して露光コントローラ２６に供給されている。この場合、エキシマレーザ光源１をパルス発光させた状態で、ＸＹステージ２０を駆動することによって照野フィールド１２Ｗ上でＸ方向、Ｙ方向に照度むらセンサ２１の受光部を走査し、露光コントローラ２６で照度むらセンサ２１の検出信号のばらつきを求めることによって、照野フィールド１２Ｗ上での照度むらが計測される。
【００３７】
図３において、ビームスプリッタ７で反射されたパルス照明光ＩＬは、集光レンズ２４を介して光電変換素子よりなるインテグレータセンサ２５で受光され、インテグレータセンサ２５の検出信号ＤＳが、不図示のピークホールド回路及びＡ／Ｄ変換器を介して露光コントローラ２６に供給される。インテグレータセンサ２５の検出信号ＤＳと、ウエハ１４の表面上でのパルス照明光の照度との相関係数は予め求められて露光コントローラ２６内に記憶されている。インテグレータセンサ２５の検出信号は所定の基準照度計を用いて較正されており、本例ではそのインテグレータセンサ２５を用いて、パルス照明光ＩＬの照野フィールド１２Ｗでの実際の露光量（単位面積当たり、単位パルス当たりの照射エネルギー）を間接的に計測する。
【００３８】
露光コントローラ２６は、走査露光中に所定周波数の発光トリガ信号ＴＳをエキシマレーザ光源１に供給してパルス発光を行わしめ、インテグレータセンサ２５からの検出信号ＤＳよりパルス照明光の光量のばらつき等を計測すると共に、各パルス照明光毎の検出信号ＤＳを積算して、順次ウエハ１４上の各点での積算露光量を求める。そして、この積算露光量がウエハ１４上のフォトレジストに対する設定露光量となるように、露光コントローラ２６はエネルギー粗調器３及びエネルギー微調器４における透過率を調整する。また、エキシマレーザ光源１の発光遅延時間Ｔｄは予め計測されて露光コントローラ２６内のメモリに記憶され、露光コントローラ２６はその発光遅延時間Ｔｄに応じて発光トリガ信号ＴＳのタイミングを調整するか、又はステージコントローラ１７にウエハ側のＸＹステージ２０の位置に所定のオフセットを加えるように指示する。
【００３９】
次に、本例の投影露光装置で１枚のウエハ上の複数のショット領域に対して、図３のエネルギー粗調器３をオープンループ制御で切り換えることにより、積算露光量を種々に変更して露光を行う場合の動作の一例につき、図１及び図２のフローチャートを参照して説明する。この例は、使用されるフォトレジストに対するベストフォーカス位置、及び最良の積算露光量（設定露光量）を決定するために、ウエハのフォーカス位置、及び積算露光量を所定範囲内で次第に変更しながら、ウエハ上にマトリックス状に配列された複数のショット領域に順次露光を行う場合、即ち、テストプリントによって、ベストフォーカス位置、及び最良の設定露光量を決定する場合に本発明を適用したものである。
【００４０】
図４は、本例でテストプリントの対象とするフォトレジストが塗布されたウエハ１４を示し、この図４において、先ず設定露光量をＳ１として、ウエハ１４の表面の１列目のショット領域３４Ａ，３４Ｂ，３４Ｃ，…に対して、順次フォーカス位置をそれぞれｆ１，ｆ２，ｆ３，…と変えながら走査露光方式で露光を行う。この際に、図３のレチクル１１として評価用パターンの形成されたレチクルが使用される。次に、設定露光量をＳ２として、経路３７に沿って２列目のショット領域３５Ａ，３５Ｂ，３５Ｃ，…に対して、順次フォーカス位置をそれぞれｆ５，ｆ４，ｆ３，…と変えながら走査露光方式で露光を行う。同様に、３列目以降のショット領域３６Ａ，３６Ｂ，３６Ｃ，…に対しても、各列では同一の設定露光量で順次フォーカス位置を変えて露光を行う。本例では、フォーカス位置ｆｉ（ｉ＝１，２，…）と設定露光量Ｓｊ（ｊ＝１，２，…）との２つの変数があるが、変更するのに時間がかかる設定露光量Ｓｊについては各列毎に固定して、各列ではフォーカス位置ｆｉを変化させているため、露光に要する時間が短くなっている。
【００４１】
また、設定露光量Ｓｊを変更した場合に、エネルギー粗調器３の透過率をオープンループ制御で切り換えても、積算露光量をその設定露光量Ｓｊに所定の精度で合致させることができず、所望の露光量目標値精度が得られない。そこで、以下のように対処する。
先ず最初に露光コントローラ２６が、エネルギー粗調器３及びエネルギー微調器４のリセットを行って、エネルギー粗調器３及びエネルギー微調器４の透過率をそれぞれ最大透過率に設定する。その後、不図示の主制御系が、図１のステップ１０１においてウエハ１４上の１番目のショット領域３４Ａのフォーカス位置ｆｉをステージコントローラ１７に設定し、ステップ１０２において、そのショット領域３４Ａへの設定露光量Ｓｊを露光コントローラ２６に設定する。本例では設定露光量Ｓｊは、次第に小さくなる（Ｓ１＞Ｓ２＞Ｓ３＞…）、即ち次第に高感度になるものとする。１番目のショット領域３４Ａでは、フォーカス位置ｆｉはｆ１に、設定露光量ＳｊはＳ１に設定される。それに応じて、ステージコントローラ１７は、Ｚチルトステージ１９を介してウエハ１４のフォーカス位置をｆｉに設定する。その次のステップ１０３において、エキシマレーザ光源１を所定回数パルス発光させて、露光コントローラ２６でインテグレータセンサ２５の検出信号ＤＳを取り込む。そして、露光コントローラ２６では、インテグレータセンサ２５の検出信号ＤＳに基づいて間接的に、パルス照明光ＩＬの像面上での平均のエネルギー密度（単位パルス光当たり、且つ単位面積当たりのエネルギー）ｐを算出する。これがエネルギーチェックと呼ばれる工程である。
【００４２】
その後、設定露光量Ｓｊ及びエネルギー密度ｐを用いて次式より露光パルス数Ｎを算出する（ステップ１０４）。但し、関数ｉｎｔ（ａ）は、実数ａを超えない整数を表す。
Ｎ＝ｉｎｔ（Ｓｊ／ｐ）      （２）
そして、ステップ１０５でその露光パルス数Ｎと、所望の露光量制御再現性を得るために定められている最小露光パルス数Ｎｍｉｎ  とを比較して、露光パルス数Ｎが最小露光パルス数Ｎｍｉｎ  より小さいときには、ステップ１０６に移行して、エネルギー粗調器３のＮＤフィルタの選択を、Ｎ≧Ｎｍｉｎ  となる範囲で最大の透過率を有するＮＤフィルタとした後、再びステップ１０３でエネルギーチェックを行う。その後、ステップ１０５でＮ≧Ｎｍｉｎ  となった場合には、ステップ１０７に移行して、更にエネルギー微調器４によるエネルギーの微調整が必要か否かを判定する。即ち、次式より現在の減光率の設定で得られる積算露光量の設定露光量に対する誤差の割合を示す露光量目標値精度Ａｔｇｔ  を算出する。但し、関数ＡＢＳ（ａ）は実数ａの絶対値を表す。
【００４３】
Ａｔｇｔ  ＝ＡＢＳ（１−ｐ・Ｎ／Ｓｊ）      （３）
次に、図２のステップ１０８で露光量目標値精度Ａｔｇｔ  が所望の露光量目標値精度Ａ０以上であるときには、積算露光量の誤差が大き過ぎるため動作はステップ１０９に移行して、図３のエネルギー微調器４における減光率（以下、「エネルギー微変調度」とも言う）Ｔｆを次式より算出し、エネルギー微調器４の減光率をＴｆに設定する。
【００４４】
Ｔｆ＝Ｓｊ／［ｐ｛ｉｎｔ（Ｓｊ／ｐ）＋１｝］      （４）
その後、ステップ１１０〜１１２において、上述のように減光率がそれぞれ設定されたエネルギー粗調器３及びエネルギー微調器４を用いて、第１のショット領域３４Ａに対して走査露光方式で露光を行う。一方、ステップ１０８で露光量目標値精度Ａｔｇｔ  が露光量目標値精度Ａ０より小さいときには、減光率の調整を行う必要がないため、直接ステップ１１０〜１１２に移行して露光を行う。次のステップ１１３において、ウエハ１４上の同一列に露光すべきショット領域が残っている場合には、ステップ１１４でＸＹステージ２０を駆動して次のショット領域を走査開始位置に設定し、ステップ１１５でＺチルトステージ１９を駆動してそのショット領域のフォーカス位置ｆｉを対応する位置に設定した後、ステップ１１０〜１１２に戻って走査露光を行う。上述の動作をウエハ１４上の同一列のショット領域について実行した後、動作はステップ１１３からステップ１１６に移行して、ウエハ１４上に次に露光すべきショット列があるかどうかを調べ、露光すべきショット列があるときにはステップ１１７で変数ｊに１を加算して、ステップ１１８で次の設定露光量Ｓｊに対する露光パルス数Ｎ’を次式から算出する。
【００４５】
Ｎ’＝ｉｎｔ（Ｓｊ／ｐ）      （５）
その後、ステップ１１９でその露光パルス数Ｎ’が最小露光パルス数Ｎｍｉｎ  より小さいときには、図１のステップ１０６に移行して、Ｎ’≧Ｎｍｉｎ  となるようにエネルギー粗調器３で減光率の大きなＮＤフィルタを選択した後、再びステップ１０３でエネルギーチェックを行う。その後は上述の工程に従って、新たな露光パルス数ＮについてＮ≧Ｎｍｉｎ  となるようにエネルギー粗調器３におけるＮＤフィルタを選択し、且つ露光量目標値精度Ａｔｇｔ  が露光量目標値精度Ａ０より小さくなるようにエネルギー微調器４の減光率を設定して、次のショット領域への露光を行う。
【００４６】
また、図２のステップ１１９でＮ’≧Ｎｍｉｎ  である場合には、ステップ１２０に移行して、次式より露光量目標値精度Ａｔｇｔ  を算出する。
Ａｔｇｔ  ＝ＡＢＳ｛１−ｉｎｔ（Ｓｊ／ｐ）・ｐ／Ｓｊ｝      （６）
そして、ステップ１２１で露光量目標値精度Ａｔｇｔ  が露光量目標値精度Ａ０以上であるときには、ステップ１０９に移行して、図３のエネルギー微調器４における減光率（エネルギー微変調度）Ｔｆを（４）式の値に設定した後、ステップ１１０〜１１２において露光を行う。また、ステップ１２１で露光量目標値精度Ａｔｇｔ  が露光量目標値精度Ａ０より小さいときには、減光率の調整を行う必要がないため、直接ステップ１１０〜１１２に移行して露光を行う。このようにして、ステップ１１６で次のショット列が尽きたときにテストプリントを終了する。その後、ウエハ１４の現像等を行って、全部のショット領域の内で最も解像度の良好なパターンが形成されているショット領域を特定すると、そのショット領域に対してテストプリントを行った際のフォーカス位置、及び設定露光量がそれぞれ当該フォトレジストに対するベストフォーカス位置、及び最良の設定露光量であるとして決定される。
【００４７】
上述のように本例によれば、オープンループ制御でエネルギー粗調器３のＮＤフィルタの減光率の選択を変更した際には、図１のステップ１０３で示すようにエネルギーチェックを繰り返している。従って、ＮＤフィルタの位置決め誤差等によって、その変更された減光率（＝１−透過率）が計測時と異なっていても、正確に像面上（ウエハ上）での露光量を求めることができ、ウエハ１４上の各ショット領域への積算露光量をそれぞれ正確に対応する設定露光量に近づけることができる。また、ステップ１０９で示すように、オープンループ制御でも正確に減光率を設定できるエネルギー微調器４の減光率が変更された場合には、エネルギーチェックを行っていないため、テストプリントに要する時間が短縮されている。
【００４８】
但し、通常こうしたテストプリントにはそれほどのスループットは必要とされないため、図２のステップ１０９で示すエネルギー微調器４、又はエネルギー粗調器３での減光率の変更時にもそれぞれエネルギーチェックを行ってもよい。即ち、減光率を変更したときには、常にステップ１０３に戻るようにしてもよい。次に、本例の投影露光装置において、エキシマレーザ光源１における発光遅延時間Ｔｄの影響を軽減するための種々の方法につき説明する。本例での発光遅延時間Ｔｄは、露光コントローラ２６内での遅延時間、露光コントローラ２６からエキシマレーザ光源１への通信時間、及びエキシマレーザ光源１内での遅延時間を合計した時間であり、ほぼ一定時間であるとみなすことができる。また、発光遅延時間Ｔｄのばらつきである所謂発光ジッタは、走査速度の変動と相まって同期むら、即ちショット領域全面での露光量むらの要因となるが、ここではその発光ジッタには着目することなく、発光遅延時間Ｔｄによって各ショット領域の最初の部分と最後の部分とで発生する局所的露光量むらの対策を考える。
【００４９】
さて、図３において、走査露光時のウエハ１４のＹ方向への走査速度をＶとすると、エキシマレーザ光源１における発光遅延時間Ｔｄの間にウエハ１４が移動する距離（以下、「発光遅延距離」と呼ぶ）は、Ｔｄ・Ｖである。そこで、第１の制御方法として、ウエハ１４と照野フィールド１２Ｗとの走査方向の相対位置をその発光遅延距離Ｔｄ・Ｖ分だけ補正する。具体的に、パルス照明光ＩＬの発光を開始するときのウエハ１４の走査方向の位置（露光開始位置）Ｙｓ、及びパルス照明光ＩＬの最後の発光を行うときのウエハ１４の走査方向の位置（露光終了位置）Ｙｅをそれぞれその発光遅延距離Ｔｄ・Ｖ分だけずらすこととする。
【００５０】
図５（ａ）は、ウエハ上の露光対象のショット領域ＳＡがスリット状の照野フィールド１２Ｗに対して＋Ｙ方向に走査される際に、ショット領域ＳＡの中心のＹ座標が露光開始位置Ｙｓ’にある状態を示し、この図５（ａ）において、２点鎖線で示す発光遅延時間を無視した場合の露光開始位置Ｐ３（このときのＹ座標をＹｓとする）に対して、ショット領域ＳＡの位置は発光遅延距離Ｔｄ・Ｖだけ−Ｙ方向にずれている。即ち、次式が成立している。
【００５１】
Ｙｓ’＝Ｙｓ−Ｔｄ・Ｖ      （７）
これによって、実際にエキシマレーザ光源１が発光したときには、ショット領域ＳＡは位置Ｐ３に達しているため、ショット領域ＳＡの露光開始部での積算露光量のむらが発生しない。
同様に、露光終了位置Ｙｅ’を＋Ｙ方向に発光遅延距離Ｔｄ・Ｖだけずらすことによって、即ち、発光遅延時間を無視した場合の露光終了位置Ｙｅに対して次のように設定することによって、ショット領域ＳＡの露光終了部での積算露光量のむらが発生しない。
【００５２】
Ｙｅ’＝Ｙｅ＋Ｔｄ・Ｖ      （８）
なお、図５（ａ）において、そのようにショット領域ＳＡの露光開始位置等をずらすことは照野フィールド１２Ｗの位置を逆方向にずらすことと等価である。そこで、各ショット領域の露光開始位置等をずらす代わりに、図３において固定照野絞り９の位置をずらすことによって、照野フィールド１２ＷのＹ方向の位置を発光遅延距離Ｔｄ・Ｖだけ＋Ｙ方向若しくは−Ｙ方向にずらしてもよい。
【００５３】
次に、第２の制御方法として、その発光遅延時間Ｔｄの影響を時間的に補正する方法がある。具体的に、或るショット領域に対する露光開始の予定時刻をＴ１  とすると、実際の露光開始時点を（Ｔ１  −Ｔｄ）に早めることとする。また、露光終了の予定時刻をＴ２  とすると、実際の露光終了時点を（Ｔ２  ＋Ｔｄ）に設定する。これは、図３の露光コントローラ２６からエキシマレーザ光源１に出力する発光トリガ信号ＴＳのタイミングを、図５（ｂ）に示すように、それぞれ発光遅延時間を無視した場合の位置Ｐ４に対して発光遅延時間Ｔｄだけ早くすることと等価である。これによって、積算露光量のむらが発生しない。
【００５４】
更に、第３の制御方法として、走査露光の開始時点付近と終了時点付近とでパルス照明光の露光量を変化させる方法がある。この場合、簡単のために、或るショット領域への露光中に積算露光量の誤差が発生するのは、そのショット領域中で第１パルス目のパルス照明光が照射される部分、及び最後のパルス照明光が照射される部分であるとすると、積算露光量の誤差を補正するために、第１パルス目、及び最後のパルス照明光の露光量をそれ以外の部分でのパルス照明光の露光量に対してその誤差分だけ大きくする。
【００５５】
これによって、当該ショット領域の露光開始部、及び露光終了部で積算露光量のむらが発生しないようになっている。また、そのように１つのショット領域への走査露光の途中でパルスエネルギーを変更する方法としては、図３のエネルギー微調器４の応答速度を高めてそのエネルギー微調器４を介してエネルギーを変調する方法がある。それ以外に、エキシマレーザ光源１の電源電圧を高速に変調してパルス毎のエネルギーを切り換えるようにしてもよい。
【００５６】
なお、上述の実施の形態は本発明を走査露光型の投影露光装置で露光量制御を行う場合に適用したものであるが、特にエネルギー粗調器３の減光率を変更した場合にエネルギーチェックを行う動作は、ステッパーのような一括露光型の投影露光装置で露光量制御を行う際にも適用することができる。
このように、本発明は上述の実施の形態に限定されず、本発明の要旨を逸脱しない範囲で種々の構成を取り得る。
【００５７】
【発明の効果】
本発明の露光量制御方法及び露光装置によれば、例えば感光性の基板上の複数のショット領域に対して積算露光量を種々に変えてテストプリント等を行うために、光学フィルタでの減衰率（減光率）をオープンループ制御で切り換えて照明光の照度を切り換えたときには、その切り換えたままの状態でマスクパターンの転写面上での照明光の照度を計測している。従って、各ショット領域への積算露光量をそれぞれ所望の値に正確に制御できる利点がある。
【００５８】
また、本願の発明の実施形態に記載された第１の露光量制御方法及び露光装置によれば、パルス光源からのパルス照明光を用いて走査露光を行うときに、そのパルス光源が所定の発光遅延時間を有する場合でも、その発光遅延時間に応じて露光領域と感光性の基板との走査方向の位置を相対的にずらしているため、その基板（被露光基板）上で積算露光量のむらが生じない利点がある。
【００５９】
また、本願の発明の実施形態に記載された第２の露光量制御方法及び露光装置によれば、パルス光源からのパルス照明光を用いて走査露光を行うときに、そのパルス光源が所定の発光遅延時間を有する場合でも、その発光遅延時間に応じてそのパルス光源に供給される発光トリガ信号のタイミングをずらしているため、感光性の基板（被露光基板）上で積算露光量のむらが生じない利点がある。
【図面の簡単な説明】
【図１】本発明による露光量制御方法の実施の形態の一例が適用された露光動作の一部を示すフローチャートである。
【図２】図１の露光動作に続く露光動作を示すフローチャートである。
【図３】その実施の形態の一例で使用されるステップ・アンド・スキャン方式の投影露光装置を示す構成図である。
【図４】テストプリント時のショット配列を示す平面図である。
【図５】（ａ）は或るショット領域の露光開始位置をずらす場合を示す平面図、（ｂ）はエキシマレーザ光源に対する発光トリガ信号のタイミングをずらす場合を示す説明図である。
【図６】従来の粗調ユニット（エネルギー粗調器）の透過率をオープンループ制御で変更した場合に、透過率の再現性が変化する場合の説明図である。
【図７】（ａ）は照野フィールド内の走査方向への光強度分布を示す図、（ｂ）は発光遅延時間によって発生する積算露光量のむらを示す図である。
【符号の説明】
１  エキシマレーザ光源
２  ビーム整形光学系
３  エネルギー粗調器
４  エネルギー微調器
５  フライアイレンズ
６  σ絞り
７  ビームスプリッタ
９  固定照野絞り
１０  コンデンサーレンズ
１１  レチクル
１３  投影光学系
１４  ウエハ
１５  レチクルステージ
１７  ステージコントローラ
１９  Ｚチルトステージ
２０  ＸＹステージ
２１  照度むらセンサ
２５  インテグレータセンサ
２６  露光コントローラ
【図１】
0003617558.tif 000002
【図２】
0003617558.tif 000003
【図３】
0003617558.tif 000004
【図４】
0003617558.tif 000005
【図５】
0003617558.tif 000006
【図６】
0003617558.tif 000007
【図７】
0003617558.tif 000008